(57)【要約】【課題】栓体が食器洗い機で高温水洗浄されたときでも、栓部材と栓カバー部材の組み合わせ目から空気断熱室内への浸水を防止する。【解決手段】携帯飲料容器３に着脱可能であり、空気断熱室２の底壁４が形成された栓部材５と、空気断熱室２の天井壁６が形成された栓カバー部材７とを上下に組み合わせて空気断熱室２が形成されると共に、該組み合わせによって栓部材５の周壁８の上端と栓カバー部材７の下端間の配置空間９に圧縮状態に配置されたパッキン１０が空気断熱室２を気密に密封している栓体１で、栓カバー部材７の下面に、前記組み合わせによって周壁８の外側に位置する支持壁２０を設け、この支持壁２０が空気断熱室２の内圧上昇による周壁８の外側への倒れを抑えることにより、栓体１の全体を８０℃の温水に２０分間浸けてもパッキン１０の密封が維持されるようにした。【選択図】図１
2011097978.tif 000002
【特許請求の範囲】
【請求項１】
飲料容器に着脱可能であり、空気断熱室の底壁が形成された栓部材と、該空気断熱室の天井壁が形成された栓カバー部材とを上下に組み合わせて該空気断熱室が形成されると共に、該組み合わせによって該栓部材の周壁上端と該栓カバー部材の下端間の配置空間に圧縮状態に配置されたパッキンが該空気断熱室を気密に密封している栓体において、前記栓カバー部材の下面に、前記組み合わせによって前記周壁の外側に位置する支持壁が設けられており、この支持壁が前記空気断熱室の内圧上昇による前記周壁の外側への倒れを抑えることを特徴とする栓体。
【請求項２】
全体を８０℃の温水に２０分間浸けても前記支持壁により前記パッキンの密封が維持される請求項１に記載の栓体。
【請求項３】
前記パッキンの内周が前記栓カバー部材の周壁外面に嵌着されており、前記組み合わせによって前記栓カバー部材の周壁外面及び下端と前記栓部材の周壁内面とで前記配置空間が形成され、該配置空間内で前記パッキンが径方向に圧縮されるようになっており、前記支持壁が前記栓部材の周壁の外側への倒れを前記パッキンと同高さのところで抑える請求項１又は２に記載の栓体。
【請求項４】
前記パッキンの内周が前記栓カバー部材の周壁外面に嵌着されており、前記組み合わせによって前記栓カバー部材の周壁外面及び下端と前記栓部材の周壁内面とで前記配置空間が形成され、該配置空間内で前記パッキンが上下方向に圧縮されるようになっており、前記支持壁が前記栓部材の周壁の外側への倒れを前記パッキンと同高さのところで抑える請求項１から３のいずれか１項に記載の栓体。
【請求項５】
前記パッキンが前記栓カバー部材の下面のパッキン溝に保持されており、前記パッキン溝と前記栓部材の周壁の上端とで前記配置空間が形成されており、前記支持壁が前記パッキン溝の外側の溝壁から下方に延長されており、前記組み合わせによって前記栓部材の周壁上端が前記パッキンの下面に突き合わされる請求項１又は２に記載の栓体。
【発明の詳細な説明】
【技術分野】
【０００１】
この発明は、飲料容器の容器口を閉塞する栓体に関する。
【背景技術】
【０００２】
従来、飲料容器に着脱可能な栓体として、空気断熱室を有するものが利用されている。この種の栓体は、栓部材と栓カバー部材の成型を容易にするため、空気断熱室の底壁が形成された栓部材と、空気断熱室の天井壁が形成された栓カバー部材とを上下に組み合わせて空気断熱室が形成されるようになっている（特許文献１）。
【０００３】
空気断熱室は、気密構造のものと、飲料容器内の負圧解消用に空気断熱室を通じて栓体の弁から外気を容器内に導入可能としたものがある。気密構造のものでは、栓部材と栓カバー部材の組み合わせによって栓部材の周壁上端と栓カバー部材の下端間の配置空間に圧縮状態に配置されたパッキンが空気断熱室を気密に密封するようになっている。
【先行技術文献】
【特許文献】
【０００４】
【特許文献１】特許第３１４４３３９号公報
【発明の概要】
【発明が解決しようとする課題】
【０００５】
この種の栓体では、外側となる栓部材の熱容量を少なくするため、栓カバー部材に周壁を形成することで空気断熱室の内周の大部分又は全部を構成するようにしている。栓部材と栓カバー部材の組み合わせによって栓部材の周壁上端と栓カバー部材の下端間の配置空間に配置されるパッキン保持構造のため、空気断熱室の内圧が上昇し、栓カバー部材の周壁が外側に倒れる現象が起こり得た。この現象が起こると、パッキンの圧縮代が減少するが、特に問題視されていなかった。これは、飲料容器に熱水を入れる使用条件でも、パッキンの密封が破れないように栓体の放熱性を設計できること、また、係る使用条件下でパッキンの密封が破れることを許容しても栓体の容器口の閉塞機能が喪失する訳でもなく断熱性の低下位しか発生しないこと、また、飲料容器から外された栓体を考えても、通常、パッキンの密封が破れるような空気断熱室の内圧上昇が起こる事態を想定できないことが理由に挙げられる。
【０００６】
ところが、近年、高温水を洗浄に用いる機能を備えた食器洗い機が一般家庭に普及し出した。栓体の正規の洗浄方法は、飲料容器から栓体を外し、自然温度の水洗浄を行い自然乾燥であるが、誤って、食器洗い機で高温水洗浄される可能性が懸念される。係る高温水洗浄では、一般に、洗浄時間が２０分程度であり、この間、洗浄室内の雰囲気温度が高い。このため、栓体に与えられた熱の逃げ場がなく、空気断熱室の内圧が上昇し、パッキンの密封が破れる懸念がある。密封が破れてから温度低下で空気断熱室の内圧が低下するとき、栓部材と栓カバー部材の組み合わせ目を通じて周辺の空気が空気断熱室内へ吸い込まれるので、組み合わせ目付近の水気が空気断熱室内へ浸水する恐れがある。この浸水は、容易には蒸発せず、好ましくない。
【０００７】
そこで、この発明の課題は、栓体が食器洗い機で高温水洗浄されたときでも、栓部材と栓カバー部材の組み合わせ目から空気断熱室内への浸水を防止することにある。
【課題を解決するための手段】
【０００８】
上記の課題を解決するため、この発明は、飲料容器に着脱可能であり、空気断熱室の底壁が形成された栓部材と、該空気断熱室の天井壁が形成された栓カバー部材とを上下に組み合わせて該空気断熱室が形成されると共に、該組み合わせによって該栓部材の周壁上端と該栓カバー部材の下端間の配置空間に圧縮状態に配置されたパッキンが該空気断熱室を気密に密封している栓体において、前記栓カバー部材の下面に、前記組み合わせによって前記周壁の外側に位置する支持壁が設けられており、この支持壁が前記空気断熱室の内圧上昇による前記周壁の外側への倒れを抑える構成を採用した。
【０００９】
栓カバー部材の下面には、栓部材との組み合わせによって栓部材の周壁の外側に位置するように支持壁を設けることができる。この支持壁が空気断熱室の内圧上昇による前記周壁の外側への倒れを抑えるようにすれば、パッキンの密封が破れることを防止できる。したがって、この発明の構成によれば、栓体が食器洗い機で高温水洗浄されたときでも、栓部材と栓カバー部材の組み合わせ目から空気断熱室内への浸水を防止することができる。
【００１０】
具体的には、栓体の全体を８０℃の温水に２０分間浸けても前記支持壁により前記パッキンの密封が維持されるようにするとよい。この密封維持性を与えておけば、凡その家庭用の食器洗い機での高温水洗浄に対応して空気断熱室内への浸水を無くすことができる。
【００１１】
例えば、パッキン保持構造と支持壁の具体例として、前記パッキンの内周が前記栓カバー部材の周壁外面に嵌着されており、前記組み合わせによって前記栓カバー部材の周壁外面及び下端と前記栓部材の周壁内面とで前記配置空間が形成され、該配置空間内で前記パッキンが径方向に圧縮されるようになっており、前記支持壁が前記栓部材の周壁の外側への倒れを前記パッキンと同高さのところで抑える構成を採用することができる。
【００１２】
別の具体例として、前記パッキンの内周が前記栓カバー部材の周壁外面に嵌着されており、前記組み合わせによって前記栓カバー部材の周壁外面及び下端と前記栓部材の周壁内面とで前記配置空間が形成され、該配置空間内で前記パッキンが上下方向に圧縮されるようになっており、前記支持壁が前記栓部材の周壁の外側への倒れを前記パッキンと同高さのところで抑える構成を採用することができる。
【００１３】
さらに別の具体例として、前記パッキンが前記栓カバー部材の下面のパッキン溝に保持されており、前記パッキン溝と前記栓部材の周壁の上端とで前記配置空間が形成されており、前記支持壁が前記パッキン溝の外側の溝壁から下方に延長されており、前記組み合わせによって前記栓部材の周壁上端が前記パッキンの下面に突き合わされる構成を採用することができる。
【発明の効果】
【００１４】
上述のように、この発明は、前記栓カバー部材の下面に、前記組み合わせによって前記周壁の外側に位置する支持壁を設け、この支持壁で前記空気断熱室の内圧上昇による前記周壁の外側への倒れを抑えるようにしたので、栓体が食器洗い機で高温水洗浄されたときでも、栓部材と栓カバー部材の組み合わせ目から空気断熱室内への浸水を防止することができる。
【図面の簡単な説明】
【００１５】
【図１】第１実施形態に係る栓体が飲料容器に装着された状態の側面を図中左半分に示し、鉛直平面上の断面を図中右半分に示した半断面図
【図２】図１のパッキン付近の拡大図
【図３】第１実施形態に係る栓体の分解図
【図４】第２実施形態に係るパッキン付近を図２と同じ断面で示した断面図
【図５】第３実施形態に係るパッキン付近を図２と同じ断面で示した断面図
【発明を実施するための形態】
【００１６】
図１〜図３に示すように、この発明の第１実施形態に係る栓体１は、空気断熱室２を有し、飲料容器３に着脱可能なものである。空気断熱室２は、空気断熱室２の底壁４が形成された栓部材５と、空気断熱室２の天井壁６が形成された栓カバー部材７とを上下に組み合わせて空気断熱室２が形成される。該組み合わせによって栓部材５の周壁８の上端と栓カバー部材７の下端間の配置空間９に圧縮状態に配置されたパッキン１０が空気断熱室２を気密に密封している。
【００１７】
飲料容器３は、上面に容器口が開放されている。飲料容器３は、例えば、正規の容量を２５０ｍｌ〜３５０ｍｌの範囲に設定することができる。飲料容器３として、適宜の断熱容器を用いることができ、例えば、真空二重容器を用いることができる。
【００１８】
栓部材５と栓カバー部材７は、それぞれ合成樹脂の射出成形により一部品に形成されている。
【００１９】
栓部材５の周壁８は、水平断面形状が円環状とされている。底壁４の前記円環状の中心位置で雌ねじ軸部１１が形成されている。栓カバー部材７の天井壁６を貫通してねじ部材１２を雌ねじ軸部１１に螺合することにより、栓部材５の周壁８と栓カバー部材７の天井壁６とが全周に亘って上下に突き合わされる。このねじ止めにより、両部材５，７が組み合わされた状態に維持されている。ねじ部材１２は、天井壁６の外面に固着された化粧部材１３で覆い隠されている。したがって、通常、栓部材５と栓カバー部材７とが分解されることはない。底壁４の外面には、飲料容器３の内周との間を密封する容器口パッキン１４が嵌着されている。
【００２０】
パッキン１０の内周は、栓カバー部材７の周壁１５の外面に嵌着されている。この嵌着状態で前記組み合わせを行うことによって、栓カバー部材７の周壁１５の外面及び下端と栓部材５の周壁８の内面とで配置空間９が形成される。
【００２１】
上記のように組み立てられた栓体１は、栓カバー部材７に設けられた雄ねじ部１６により飲料容器３に螺着可能となっている。飲料容器３内に面する栓部材５ではなく、栓カバー部材７に雄ねじ部１６を設けることにより、断熱性を高めている。なお、栓部材５に雄ねじ部を設けることもできる。
【００２２】
前記の配置空間９は、栓部材５と栓カバー部材７との組み合わせを行うことで圧縮状態のパッキン１０が占有する空間である。配置空間９の任意の鉛直平面上における径方向幅は、自然状態のパッキン１０よりも狭く設定されている。これにより、前記組み合わせを行うことで配置空間９内で前記パッキンが径方向に圧縮されるようになっている。
【００２３】
また、栓部材５の周壁８が突き合わされる栓カバー部材７の下端は、パッキン１０を受ける部分よりも上方に位置した円周溝１７の底面とされている。前記組み合わせによって、栓部材５の周壁８が突き合わされると、周壁８の内面かつ上端の円錐面部１８がパッキン１０に接触後、さらに両部材５，７が締結されてから周壁８が円周溝１７に突き当たる。このとき、前記組み合わせによって、パッキン１０は、栓カバー部材７の周壁１５及び下端と栓部材５の周壁８の円錐面部１８とで内側斜め上方に向って圧縮され、その結果、上下方向にも圧縮されるようになっている。
【００２４】
仮に、周壁１５が無く、空気断熱室２の内圧が上昇すると、周壁８が全体として自由に外側に倒れることができるならば、配置空間９の径方向幅及び上下方向幅がいずれも拡大するので、パッキン１０の径方向圧縮代及び上下方向圧縮代は、いずれも減少することになる。なお、周壁８の内面と底壁４との間に連続する複数のリブ１９により、周壁８の内外への倒れに対する強度が高められている。複数のリブ１９は、周壁１５から周方向複数個所で下方に延びる各延長壁の間に嵌る。リブ１９と延長壁の周方向係合により、栓部材５と栓カバー部材７とが相対的に回り止めされている。周壁８のうち周壁１５と水平に対向する部分は、内面側にリブ１９を形成できず、その外面側にもパッキン１０を嵌着するためリブを形成することが困難なので、強度を高め難い。
【００２５】
栓カバー部材７の下面には、前記組み合わせによって栓部材５の周壁８の外側に位置する支持壁２０が設けられている。この支持壁２０は、前記円環状の中心と同心の円環壁になっている。支持壁２０の内面と周壁８の外面とで栓部材５と栓カバー部材７の組み合わせ目が形成されている。支持壁２０は、空気断熱室２の内圧上昇によって周壁８が外側へ倒れようとすると、これをパッキン１０と同高さのところで受け、効果的に周壁８の外側への倒れを抑える。
【００２６】
栓体１の全体を８０℃の温水に２０分間浸けても支持壁２０によりパッキン１０の密封が維持されるように、栓カバー部材７の周壁１５，支持壁２０、栓部材５の周壁８、及びパッキン１０の圧縮代の関係が設定されている。
【００２７】
したがって、第１実施形態によれば、凡その家庭用の食器洗い機で栓体１が高温水洗浄されたときでも、栓部材５と栓カバー部材７の組み合わせ目から空気断熱室２内への浸水が生じる心配はない。
【００２８】
この発明の第２実施形態を図４に基いて説明する。以下、第１実施形態と同じに考えられる構成要素の説明を省略し、相違点を中心に述べる。図示から明らかなように、第２実施形態は、栓部材の周壁８の円錐面部１８でパッキン１０を押すことを止め、パッキン１０が栓カバー部材の周壁１５及び下端と栓部材の周壁８とで径方向にのみ圧縮されるように変更したものである。この例では、周壁８の外側への倒れを許すと、パッキン１０の密封が破れ易いので、支持壁２０を設ける意義が大きい。
【００２９】
この発明の第３実施形態を図５に基いて説明する。第３実施形態は、パッキン２１が栓カバー部材の下面のパッキン溝２２に保持されている。パッキン溝２２と栓部材の周壁２３の上端とで配置空間２４が形成されている。支持壁２５がパッキン溝２２の外側の溝壁から下方に延長されている。栓部材及び栓カバー部材が締結される組み合わせによって栓部材の周壁２３の上端突起部２６がパッキン２１の下面に突き合わされてから、さらに締結される。このため、パッキン溝２２の内面及び周壁２３の上端突起部２６によりパッキン２１が上下方向に圧縮され、気密に密封される。周壁２３の外側への倒れを許すと、上端突起部２６がパッキン２１から下側へ逃げることになるので、密封が破れ得るが、支持壁２５により周壁２３の外側への倒れを抑えることができる。支持壁２５は、溝壁と一連に形成されるので、金型の複雑化を避けることができる。
【符号の説明】
【００３０】
１  栓体
２  空気断熱室
３  飲料容器
４  底壁
５  栓部材
６  天井壁
７  栓カバー部材
８，２３  周壁
９，２４  配置空間
１０，２１  パッキン
１１  雌ねじ軸部
１２  ねじ部材
１５  周壁
１７  円周溝
１８  円錐面部
２０，２５  支持壁
２２  パッキン溝
２６  上端突起部
【図１】
2011097978.tif 000003
【図２】
2011097978.tif 000004
【図３】
2011097978.tif 000005
【図４】
2011097978.tif 000006
【図５】
2011097978.tif 000007